(57)【特許請求の範囲】
【請求項１】
無線通信システムにおいてサウンディング基準信号を非周期的に送信するための方法であって、
ユーザ装置がサウンディングしようとするチャンネルに前記サウンディング基準信号のパラメータを設定し、前記ユーザ装置に前記サウンディング基準信号のリソースを割り当てるステップと、
上位層シグナリングにより、前記ユーザ装置に割り当てている前記サウンディング基準信号のリソースを含む情報を前記ユーザ装置に送信するステップと、
下位層シグナリングにより、前記ユーザ装置が前記サウンディング基準信号を送信することを起動するための起動用信号を前記ユーザ装置に送信するステップと、を含み、
前記サウンディング基準信号のパラメータは、
前記ユーザ装置の周波数リソースと、
前記ユーザ装置の符号分割リソースと、
前記ユーザ装置が起動されているときに前記サウンディング基準信号を送信する回数と、
前記ユーザ装置が前記下位層シグナリング中に対応する前記起動用信号のビット位置と、を含む、方法。
【請求項２】
前記下位層シグナリングは、一回、1つ又は複数のユーザ装置を起動し、複数のユーザ装置を一回起動する場合は、前記複数のユーザ装置が前記下位層シグナリング中に異なるビット位置に対応する、請求項１に記載の方法。
【請求項３】
前記ユーザ装置が起動されているときに前記サウンディング基準信号を送信する回数が予め設定された回数に達している時に、前記ユーザ装置は、前記サウンディング基準信号の送信を自動で中止する、請求項１に記載の方法。
【請求項４】
前記ユーザ装置が前記サウンディング基準信号を送信するためのリソースは、
サウンディング基準信号を周期的に送信するためのサブフレーム中の最後のシンボルと、
復調基準信号を送信するための前記サブフレーム中の3番目のシンボルと、
前記復調基準信号を送信するための前記サブフレーム中の10番目のシンボルと、
前記サブフレーム中の0番目、1番目、2番目、4番目、5番目、及び6番目のシンボルうちの1つと、のうちの少なくとも1つを含む、請求項１に記載の方法。
【請求項５】
無線通信システムにおいてサウンディング基準信号を非周期的に送信するための装置であって、
ユーザ装置がサウンディングしようとするチャンネルに前記サウンディング基準信号のパラメータを設定し、前記ユーザ装置に前記サウンディング基準信号のリソースを割り当てる設定ユニットと、
上位層シグナリングにより、前記ユーザ装置に割り当てている前記サウンディング基準信号のリソースを含む情報を前記ユーザ装置に送信する設定用シグナリング送信ユニットと、
下位層シグナリングにより、前記ユーザ装置が前記サウンディング基準信号を送信することを起動するための起動用信号を前記ユーザ装置に送信する起動用シグナリング送信ユニットと、を含み、
前記サウンディング基準信号のパラメータは、
前記ユーザ装置の周波数リソースと、
前記ユーザ装置の符号分割リソースと、
前記ユーザ装置が起動されているときに前記サウンディング基準信号を送信する回数と、
前記ユーザ装置が前記下位層シグナリング中に対応する前記起動用信号のビット位置と、を含む、装置。
【請求項６】
前記下位層シグナリングは、一回、1つ又は複数のユーザ装置を起動し、複数のユーザ装置を一回起動する場合は、前記複数のユーザ装置が前記下位層シグナリング中に異なるビット位置に対応する、請求項５に記載の装置。
【請求項７】
前記ユーザ装置が起動されているときに前記サウンディング基準信号を送信する回数が予め設定された回数に達している時に、前記ユーザ装置は、前記サウンディング基準信号の送信を自動で中止する、請求項５に記載の装置。
【請求項８】
前記ユーザ装置が前記サウンディング基準信号を送信するためのリソースは、
サウンディング基準信号を周期的に送信するためのサブフレーム中の最後のシンボルと、
復調基準信号を送信するための前記サブフレーム中の3番目のシンボルと、
前記復調基準信号を送信するための前記サブフレーム中の10番目のシンボルと、
前記サブフレーム中の0番目、1番目、2番目、4番目、5番目、及び6番目のシンボルのうちの1つと、のうちの少なくとも1つを含む、請求項５に記載の装置。
【請求項９】
基地局と、ユーザ装置と、を含む無線通信システムであって、
前記基地局は、請求項５ないし８の何れか１項に記載の装置を含み、
前記ユーザ装置は、前記基地局からの前記上位層シグナリング及び前記下位層シグナリングを受信するためのシグナリング受信ユニットを含む、無線通信システム。
【請求項１０】
コンピュータが読み取り可能な命令コードを含むプログラムであって、
前記命令コードは、前記コンピュータに読み出されて実行される時に、前記コンピュータに、請求項１ないし４の何れか１項に記載の方法における各ステップを実行させる、プログラム。
【請求項１１】
請求項１０に記載のプログラムを記録しているコンピュータ読み取り可能な記録媒体。
【発明の詳細な説明】
【技術分野】
【０００１】
本発明は、無線通信システム分野に関し、特に、無線通信システムにおいてサウンディング基準信号（サウンディングリファレンス信号とも称される）（Sounding  Reference  Signal，SRS）を非周期的に送信するための方法及び装置に関する。
【背景技術】
【０００２】
第４世代（4G）移動通信システムでは、例えば、LTE（ロング・ターム・エボリューション）シングルキャリア周波数分割多元接続（Single  Carrier  Frequency  Division  Multiple  Access：SC−FDMA）上りリンクにおいて、基準信号（リファレンス信号とも称される）（Reference  Signal，RS）がデータ復調及びチャンネルサウンディングのために用いられる。
【０００３】
上りリンク基準信号の機能は、コヒーレント復調を行うために必要なチャンネル推定、上りリンクスケジューリングのチャンネル品質測定、電力制御、タイミング推定、及び、下りリンクビーム形成をサポートする到来波方向（DOA)の推定などのために用いられることを含む。
【０００４】
LTE中の上りリンク基準信号の大部分は、Zadoff-Chu（ZC）シーケンスに基づくものである。ZCシーケンスは、GCL（汎用チャープ状，Generalized  Chirp-Like）シーケンスとも称される。該シーケンスは全て非バイナリー振幅シーケンスであり、CAZAC（Constant  Amplitude  Zero  Autocorrellation，定振幅ゼロ自己相関）特性を満たす。CAZACシーケンスは、形式が
【数１】
0005565522.tif 000002
である複素信号である。長さが素数
【数２】
0005565522.tif 000003
であるZCシーケンスは、次のように表され得る。
【数３】
0005565522.tif 000004
【０００５】
ただし、
【数４】
0005565522.tif 000005
は、ZCシーケンスのルートインデックス（Root  Index）であり、
【数５】
0005565522.tif 000006
であり、
【数６】
0005565522.tif 000007
である。簡単のため、LTEでは、
【数７】
0005565522.tif 000008
と設定される。
【０００６】
ZCシーケンスは、次のような特性を有する。
【０００７】
１．ZCシーケンスは、定振幅を有し、またDFT演算が行われた後でも定振幅を有する。定振幅の特性は、ピーク対平均電力の比（PAPR）、及び他のユーザに与える境界及び時間性平坦型干渉を制限することができる。また、振幅要らず位相のみを計算及び記憶する必要がある時に、このような特性により、実現は簡略化され得る。
【０００８】
２．任意の長さのZCシーケンスは、理想的な周期自己相関性（Cyclic  Autocorrelation）を有し、即ち、周期シフト相関は、δ関数である。
【０００９】
ZCシーケンスの理想的な特性により、上りリンク基準信号は、次のような良好な特性を有する。（１）周波数領域では振幅が一定であり、これは、不偏チャンネル推定において、割り当てられている全てのサブキャリヤ(Subcarrier)に対して同じ励起を行うためである。（２）時間領域では低キュービックメトリック（CM）の値が低い。（３）非常に良い自己相関特性を有し、精確なチャンネル推定にとっては有利である。（４）良好な相互相関特性を有し、他のセルが同じリソースにより送信する基準信号の干渉を減らすことができる。
【００１０】
上りリンクは、２種類の基準信号、即ち、（１）復調基準信号（Demodulation  RS，DM-RS）、及び（２）サウンディング基準信号（Sounding  RS，RS）をサポートする。復調用基準は、主に、上りチャンネルデータ伝送又はシグナリング情報伝送のチャンネル推定を行い、関連する検出や測定を実施するために用いられる。サウンディング基準信号は、主に、チャンネル品質測定を行い、上りリンクの周波数選択性スケジューリングを行うために用いられる。
【００１１】
LTEシステムでは、図１に示すように、一つのサブフレーム（Subframe）がトータルで１４個のシンボルを有し、それぞれ、No.0,No.2,No.1,…,No.13で表れる。Rel.8/9システムでは、ユーザのサウンディング基準信号がNo.13のシンボルのみにおいて伝送され得る。Rel.8/9システムでは、ユーザの復調基準信号がNo.3及びNo.10のシンボルのみにおいて伝送され得る。上りリンクの復調基準信号及びサウンディング基準信号はデータシンボルと時分割多重化される。1つの所定のユーザ装置（User Equipment，UE）の復調基準信号と、該ユーザが送信する上りリンクデータチャンネル（PUSCH）又は上りリンクシグナリングチャンネル（PUCCH）とは、同じバンド幅（帯域幅とも称される）、例えば、セルのバンド幅（Cell  Bandwidth）全体の中のPUSCHバンド幅を有する。よって、システムの異なるバンド幅を、異なるユーザに割り当てる時（FDMA）に、各ユーザの復調基準信号も互いに直交する。
【００１２】
ユーザのサウンディング基準信号のバンド幅は、データ伝送のためのバンド幅と異なっても良い。ユーザのサウンディング基準信号は、常に、1つのサブフレームの最後の1つのSC-FMDAシンボルにおいて伝送され、且つ該サウンディング基準信号のパラメータは、システムの上位層シグナリングにより通知される。図１では、UE(移動端末)がサブフレームの最後の1つのシンボルにおいてサウンディング基準信号を周期的に送信する。図２では、各UEのSR信号が、周波数分割多重化（FDM）、コード分割多重化（CDM）により多重化され、又は、時分割多重化（TDM）により多重化される。TDM方式では、LTE中のeNodeB（基地局）は、UEが1つのシングルなサウンディング基準信号を送信するようにリクエストし、又はUEがサウンディング基準信号を、終了までに周期的に送信するように構成させる。１つのUEがサウンディング基準信号を周期的に送信するのであれば、この周期は、２、５、１０、２０、４０、８０、１６０又は３２０msであってもよい。FDM方式では、eNodeBが、異なるバンド幅の周波数リソース、又は、バンド幅が同じであるが位置が異なる周波数リソースを、サウンディング基準信号を伝送するために、ユーザに割り当ててもよい。サウンディング基準信号のバンド幅に影響する要因は、UEの最大電力、サウンディングをサポート可能な移動端末の数、及び、チャンネルの状況に頼る上りリンクスケジューリングから利得を得るに必要なサウンディングバンド幅を含む。CDM方式では、eNodeBが、バンド幅が同じであり且つ位置が同じである周波数リソースを異なるユーザに割り当ててもよい。この時に、基準信号シーケンスの異なる周期的なシフト（Cyclic  Shift，CS）を用いてシーケンスの直交を実現してもよく、即ち、1つのZCシーケンスと、同一のシーケンスの任意の周期的なシフトとの間の相関性が０である。チャンネルインパルス応答が有限長である時に、異なる送信機が、同じ基準信号のベースシーケンスの異なる周期的な時間シフトを用いてもよく、周期的なシフトがチャンネルインパルス応答よりも長ければ、基準信号間は直交を維持することができる。
【００１３】
上述のTDM、FDM、及びCDMのほかに、今のところのLTEシステムでは、サウンディング基準信号のリソースの多重化を行う他の手段が存在しない。
【００１４】
LTEシステムでは、ユーザの上りリンク信号の送信が、シングルアンテナ送信モード又はアンテナ選択送信モードをサポートする。サウンディング基準信号のリソースを割り当てる時に、各ユーザに一組のサウンディング基準信号のリソースのみが与えられてもよい。
【００１５】
LTE-Advancedシステムでは、より高い上りリンク伝送レート指標を満たすために、UEが上りリンクにおいてより高いランク（Rank）の伝送、例えば、rank1-rank4の伝送をサポートするように要求され、そのため、UEに、より多くのアンテナを設置する必要があり、例えば、最大rank2の伝送をサポートするために２つのアンテナを設置する必要がり、最大rank４の伝送をサポートするために４つのアンテナを設置する必要がある。
【００１６】
より多くのアンテナをUEに設置し、より高いrankの伝送を行う時に、各アンテナのチャンネルのサウンディング及び推定を行うのに便利なように、より多くのサウンディング基準信号のリソースが割り当てられる必要もある。
【００１７】
よって、他の方法を用いてサウンディング基準信号の容量を更に向上させる必要がある。
【００１８】
サウンディング基準信号の容量を向上させる方法は、2つの側面に分けられ得る。1つは、サウンディング基準信号の利用可能なリソースを向上させ、もう１つは、現在のサウンディング基準信号のリソースの利用効率を向上させる。
【００１９】
上述のように、サウンディング基準信号のパラメータは、システムの上位層シグナリングにより通知され、かつ通知された後に、サウンディング基準信号がアクティブにされ、既定の周期で送信される。これは、周期的にサウンディング基準信号を送信するプロセスである。また、サウンディング基準信号をインアクテブにすることも、システムの上位層シグナリングにより通知される。よって、今のところ、システムでは、サウンディング基準信号をアクティブにするプロセス、及び、サウンディング基準信号をイナクティブにするプロセスが、ともに、上位層シグナリングにより通知されるが、上位層シグナリングが比較的遅いため、システムのサウンディング基準信号のリソースの利用効率が比較的低い。
【００２０】
本発明は、サウンディング基準信号のリソースを効率よく利用するために用いられ、これにより、システムに、より多くのユーザをサポートさせることができる。
【発明の概要】
【発明が解決しようとする課題】
【００２１】
以下、本発明について簡単に概説し、これにより、本発明へのいくつかの側面における基本理解を提供する。理解すべきは、この概説は、本発明の網羅的な説明ではなく、本発明のキーポイント又は重要な部分を確定するためのものではなく、また、本発明の範囲を限定するためのものでもない。また、この概説の目的は、単に、簡単な形式でいくつかの概念を述べることにあり、また、このような概説は、後述の更なる説明の前書きとされる。
【００２２】
本発明は、少なくとも、従来技術中の上述の技術問題に鑑み、無線通信システムにおいてサウンディング基準信号を非周期的に送信するための方法及び装置を提供することを目的とする。かかる方法及び装置は、従来技術中の上述の欠点及び不足を克服ことができ、これにより、システムのサウンディング基準信号のリソースの利用効率を向上させることができ、システムに、より多くのユーザをサポートさせることができる。
【課題を解決するための手段】
【００２３】
上述の目的を達成するために、本発明の一側面によれば、無線通信システムにおいてサウンディング基準信号を非周期的に送信するための方法が提供される。かかる方法は、ユーザ装置がサウンディングしようとするチャンネルにサウンディング基準信号のパラメータを設定（configure）し、前記ユーザ装置に前記サウンディング基準信号のリソースを割り当てるステップと、上位層シグナリング（High Layer Signaling）により、前記ユーザ装置に割り当てている前記サウンディング基準信号のリソースを含む情報を前記ユーザ装置に送信するステップと、下位層シグナリング（Low Layer Signaling）により、前記ユーザ装置が前記サウンディング基準信号を送信することを起動（activate）するための起動用信号を前記ユーザ装置に送信するステップと、を含む。
【００２４】
本発明の他の側面によれば、無線通信システムにおいてサウンディング基準信号を非周期的に送信するための装置が提供される。かかる装置は、ユーザ装置がサウンディングしようとするチャンネルにサウンディング基準信号のパラメータを設定し、前記ユーザ装置に前記サウンディング基準信号のリソースを割り当てる設定ユニットと、上位層シグナリングにより、前記ユーザ装置に割り当てている前記サウンディング基準信号のリソースを含む情報を前記ユーザ装置に送信する設定用シグナリング送信ユニットと、下位層シグナリングにより、前記ユーザ装置が前記サウンディング基準信号を送信することを起動するための起動用信号を前記ユーザ装置に送信する起動用シグナリング送信ユニットと、を含む。
【００２５】
本発明の他の側面によれば、無線通信システムが提供される。かかる無線通信システムは、基地局とユーザ装置とを含み、前記基地局は、上述の、サウンディング基準信号を非周期的に送信するための装置を含み、前記ユーザ装置は、シグナリング受信ユニットを含み、前記シグナリング受信ユニットは、前記基地局からの上位層シグナリング及び下位層シグナリングを受信するために用いられる。
【００２６】
本発明の他の側面によれば、上述の、サウンディング基準信号を非周期的に送信するための方法を実現するためのコンピュータプログラムプロダクトが提供される。
【００２７】
本発明の他の側面によれば、上述の、サウンディング基準信号を非周期的に送信するための方法を実現するためのコンピュータプログラムコードを記録しているコンピュータ読み取り可能な媒体が提供される。
【００２８】
本発明の上述の技術案では、上位層シグナリングにより、サウンディング基準信号のリソースをユーザ装置に割り当て、且つ下位層シグナリングにより、ユーザがサウンディング基準信号を送信することを起動する。このようにすると、送信速度が比較的速い下位層シグナリングにより、ユーザ装置に起動用信号を送信することで、システムにおけるサウンディング基準信号のリソースの利用効率を向上させることができ、システムに、より多くのユーザをサポートさせることができる。
【図面の簡単な説明】
【００２９】
添付した図面を参照しながら本発明の実施例を説明することにより、本発明の以上及び他の目的、特徴及び利点を更に容易に理解することができる。なお、図面中の部品は、本発明の原理を示すためだけのものである。また、図面中の同じ又は類似の技術的特徴又は部品は、同じ又は類似の参照符号により表される。
【図１】従来技術中の上りリンクSRS送信用のサブフレームを示す図である。
【図２】従来技術中の上りリンクSRS送信用のもう１つのサブフレームを示す図である。
【図３】本発明の実施例による上りリンクSRS送信用のサブフレームを示す図である。
【図４】本発明の実施例による上りリンクSRS送信用のもう1つのサブフレームを示す図である。
【図５】本発明の実施例による、無線通信システムにおいてSRSを非周期的に送信するための方法のフローチャートである。
【図６】本発明の実施例による、無線通信システムにおいてSRSを非周期的に送信するための装置のブロック図である。
【図７】本発明の実施例による無線通信システムのブロック図である。  また、当業者が理解すべきは、図面中の部品は、実際の比例に従って描かれているものではなく、本発明の原理を示すためのものだけである。本発明の一部をより便利に示す及び説明するために、図面中の対応する部品は、拡大されることがあり、即ち、本発明に従って実際に作られた例示的な装置における他の部品よりも大きくなることがある。
【発明を実施するための形態】
【００３０】
以下、添付した図面を参照しながら本発明の好適的な実施例について説明を行う。簡単且つ明確にするために、本明細書では、実際の実施形態の全ての特徴を記載しない。しかし、理解すべきは、この種の任意の実際の実施形態を開発する過程で、開発者の具体的な目標を実現するために、実施形態に特定される多くの決定をしなければならない。例えば、システム及び業務に関する制限条件に合致する必要があり、また、これらの制限条件は、実施形態が異なるにつれて変化する可能性もある。更に理解すべきは、開発の仕事が非常に複雑且つ時間のかかるものであるが、本開示の内容から利益を得る当業者にとって、この種の開発の仕事がきまりどおり行うものだけである。
【００３１】
ここで更に説明する必要がある点は、不必要な細部により本発明をあいまいにすることを避けるために、図面に、本発明による技術案と密接に関する装置の構造及び／又は処理のステップのみを示し、本発明と関係の大きくない他の細部を略すことである。
【００３２】
以下、添付した図面を参照しながら本発明の実施例による、無線通信システムにおいてサウンディング基準信号（SRS）を非周期的に送信するための方法及び装置を詳しく説明する。
【００３３】
図５は、本発明の実施例による、無線通信システムにおいてSRSを非周期的に送信するための方法のフローチャートである。
【００３４】
図５に示すように、まず、ステップS510において、ユーザ装置がサウンディングしようとするチャンネルに、サウンディング基準信号のパラメータを設定し、ユーザ装置に、サウンディング基準信号のリソースを割り当てる。
【００３５】
本発明の実施例によれば、設定する必要のあるサウンディング基準信号のパラメータは、ユーザ装置の周波数リソース、ユーザ装置の符号分割（code division）リソース、ユーザ装置がアクティブにされているときにサウンディング基準信号を送信する回数、及び、ユーザ装置が、ユーザ装置がサウンディング基準信号を送信することをアクティブにするための下位層シグナリング中に対応するビット位置を含んでもよい。
【００３６】
次に、ステップS520において、上位層シグナリングにより、ユーザ装置に割り当てているサウンディング基準信号のリソースを含む情報をユーズ装置に送信する。
【００３７】
本発明の実施例によれば、ユーザ装置に割り当てているサウンディング基準信号のリソースを含む情報をユーザ装置に送信する上位層シグナリングは、無線リソース制御（Radio  Resource  Control，RRC）シグナリングを含んでもよい。従来技術との相違点は、本発明の実施例による上位層シグナリング、例えば、RRCシグナリングが、割り当てられているサウンディング基準信号のリソースをユーザ装置に通知するためのみに用いられ、ユーザ装置がサウンディング基準信号を送信することを起動するために用いられないことにある。
【００３８】
最後に、ステップS530において、下位層シグナリングにより、ユーザ装置に、ユーザ装置がサウンディング基準信号を送信することを起動するための起動用信号を送信する。
【００３９】
本発明の実施例によれば、ユーザ装置がサウンディング基準信号を送信することを起動するための起動用信号は、物理下りリンク制御チャンネル（Physical  Downlink  Control  Channel，PDCCH）シグナリングを含んでもよい。ユーザ装置が下位層シグナリング、例えば、PDCCHシグナリングを受信した時に、ユーザ装置が起動され、また、ステップS520で受信している、上位層シグナリング例えばRRCシグナリングにより送信された、ユーザ装置に割り当てているサウンディング基準信号のリソースを含む情報に基づいて、サウンディング基準信号を送信し始める。
【００４０】
上述のように、ステップS510では、ユーザ装置がサウンディングしようとするチャンネルに、サウンディング基準信号のパラメータを既に設定している。サウンディング基準信号のパラメータは、ユーザ装置がアクティブにされているときにサウンディング基準信号を送信する回数、及び、ユーザ装置が、ユーザ装置がサウンディング基準信号を送信することをアクティブにするための下位層シグナリング例えばPDCCHシグナリング中に対応するビット位置を含む。
【００４１】
本発明の実施例によれば、ユーザ装置がサウンディング基準信号を送信することをアクティブにするための下位層シグナリング例えばPDCCHシグナリングは、一回、1つのユーザ装置を起動してもよく、複数のユーザ装置を起動してもよい。複数のユーザ装置を一回起動する場合は、複数のユーザ装置が、下位層シグナリング例えばPDCCHシグナリング中に異なるビット位置に対応する。
【００４２】
本発明の実施例によれば、ユーザ装置が起動されているときにサウンディング基準信号を送信する回数は、予め設定されてもよく、例えば、一回であってもよく、複数回であってもよい。本発明の実施例によれば、ユーザ装置が起動されているときにサウンディング基準信号を送信する回数が予め設定された回数に達している時に、ユーザ装置は、サウンディング基準信号の送信を自動で中止する。即ち、サウンディング基準信号をイナクティブにすることは、他のシグナリングを要しない。
【００４３】
本発明の実施例によれば、ユーザ装置が起動されてサウンディング基準信号を送信する時に、ユーザ装置は、各種のリソースを用いてサウンディング基準信号を送信することができる。例えば、図３及び図４に示すようである。図３は、本発明の実施例による、上りリンクSRS送信用のサブフレームを示す図である。図４は、本発明の実施例による、上りリンクSRS送信用のもう1つのサブフレームを示す図である。図３に示すように、ユーザ装置は、サウンディング基準信号を送信するために、従来技術においてサウンディング基準信号を周期的に送信するためのサブフレーム中の最後のシンボル、従来技術において復調基準信号を送信するためのサブフレーム中の3番目のシンボル、及び、従来技術において復調基準信号を送信するためのサブフレーム中の10番目のシンボルのうち、少なくとも1つを用いる。あるいは、図４に示すように、ユーザ装置は、サブフレーム中の6番目のシンボルを用いてサウンディング基準信号を送信する。実際には、本発明の実施例によれば、ユーザ装置が、サブフレーム中の0番目、1番目、2番目、4番目、5番目、及び6番目のシンボルのうちの1つを用いてサウンディング基準信号を送信してもよい。
【００４４】
以下、図面を参照しながら本発明の実施例による、無線通信システムにおいてサウンディング基準信号を非周期的に送信するための装置を詳しく説明する。図６は、本発明の実施例による、無線通信システムにおいてSRSを非周期的に送信するための装置６００のブロック図である。
【００４５】
図６に示すように、本発明の実施例による装置６００は、設定ユニット６１０と、設定用シグナリング送信ユニット６２０と、起動用シグナリング送信ユニット６３０とを含む。
【００４６】
設定ユニット６１０は、ユーザ装置がサウンディングしようとするチャンネルにサウンディング基準信号のパラメータを設定し、ユーザ装置にサウンディング基準信号のリソースを割り当てるために用いられる。
【００４７】
設定用シグナリング送信ユニット６２０は、上位層シグナリングにより、ユーザ装置に割り当てているサウンディング基準信号のリソースを含む情報をユーザ装置に送信するために用いられる。
【００４８】
起動用シグナリング送信ユニット６３０は、下位層シグナリングにより、ユーザ装置に起動用信号を送信し、ユーザ装置がサウンディング基準信号を送信することを起動するために用いられる。
【００４９】
装置６００における上述の各ユニットの各種の具体的な実施形態については、上述のように、既に詳しく説明しているので、ここでは、その詳細な説明を省略する。
【００５０】
本発明の上述の方法及び装置は、無線通信システムに応用されてもよい。図７は、本発明の実施例による無線通信システム７００のブロック図である。
【００５１】
無線システム７００は、基地局７１０及びユーザ装置７２０を含む。基地局７１０は、図６に示すような、無線システムにおいてサウンディング基準信号を非周期的に送信するための装置６００を含み、この装置６００は、設定ユニット６１０、設定用シグナリング送信ユニット６２０、及び起動用シグナリング送信ユニット６３０を含む。ユーザ装置７２０は、シグナリング受信ユニット７２１を含み、このシグナリング受信ユニット７２１は、基地局７１０からの上位層シグナリング及び下位層シグナリングを受信するために用いられる。
【００５２】
本発明の実施例によれば、基地局７１０における装置６００の設定ユニット６１０は、ユーザ装置７２０がサウンディングしようとするチャンネルに、サウンディング基準信号のパラメータを設定し、ユーザ装置７２０に、サウンディング基準信号のリソースを割り当てる。次に、基地局７１０における装置６００の設定用シグナリング送信ユニット６１０は、上位層シグナリングにより、ユーザ装置７２０に割り当てているサウンディング基準信号のリソースを含む情報を、ユーザ装置７２０におけるシグナリング受信ユニット７２１に送信する。その後、基地局７１０における装置６００の起動用シグナリング送信ユニット６３０は、下位層シグナリングにより、ユーザ装置７２０におけるシグナリング受信装置７２１に起動用信号を送信し、ユーザ装置７２０がサウンディング基準信号を送信することを起動する。
【００５３】
ユーザ装置７２０は、起動用シグナリング送信６３０からの下位層シグナリングを受信した後に、受信している、設定用シグナリング送信ユニット６２０により送信された上位層シグナリングに含まれる、ユーザ装置７２０に割り当てているサウンディング基準信号のリソースを含む情報に基づいて、シグナリング送信ユニット（図示せず）により、基地局７１０にサウンディング基準信号を非周期的に送信する。
【００５４】
無線システム７００における上述の各装置又は各ユニットに各種の具対的な実施形態については、上述のように、既に詳しく説明しているので、ここでは、その詳細な説明を省略する。
【００５５】
また、明らかであるように、本発明の実施例による上述の方法の各操作プロセス（各ステップ）は、各種のマシン読み取り可能な媒体に記憶されているコンピュータ実行可能なプログラムにより実現され得る。
【００５６】
また、本発明の目的は、上述の実行可能なプログラムコードを記録している記録媒体を直接又は間接にシステム又は装置に提供し、該システム又は装置におけるコンピュータ又はCPUにより上述の実行可能なプログラムコードを読み出して実行させることにより実現されてもよい。この時に、該システム又は装置がプログラムを実行する機能を有すれば、本発明の実施形態は、プログラムに限られず、また、該プログラムは、任意の形式であってもよく、例えば、オブジェクトプログラム、インタープリターにより実行されるプログラム、又は、オペレーティングシステムに提供されるスクリプトプログラムであってもよい。
【００５７】
上述のマシン読み取り可能な記録媒体は、各種の記憶器及び記憶ユニット、半導体記憶装置、磁気ディスクユニット（例えば、光ディスク、磁気ディスク及び光磁気ディスク）、及び情報を記憶することが可能な他の媒体等であってもよい。
【００５８】
また、コンピュータが、インターネットを経由して所定のウェブサイトにアクセスし、本発明の実施例によるコンピュータプログラムコードをダウンロードして該コンピュータにインストールし、それから、このプログラムコードを実行させることにより、本発明を実現することもできる。
【００５９】
本発明の装置及び方法では、もちろん、各部品又は各ステップは、分解、組み合わせ及び／又は分解後再組み合わせが可能なものである。これらの分解、組み合わせ及び／又は再組み合わせは、本発明の等価代替と見なすべきである。また、本発明の方法は、明細書に記載の時間順に従って実行されることに限定されず、他の時間順に従って並行に又は独立して実行されても良い。よって、本明細書に記載の方法の実行順序は、本発明の技術的範囲を限定しない。
【００６０】
以上、本発明の具他的な実施例の説明により本発明が開示されているが、理解すべきは、上述の全ての実施例が例示的なものであり、本発明を限定するものではない。当業者は、添付した請求の範囲の精神及び範囲内で本発明に対して各種の変更、改善又は同等の内容を行ってもよい。これらの変更、改善又は同等の内容は、本発明の保護範囲に含まれると見なすべきである。
【図１】
0005565522.tif 000009
【図２】
0005565522.tif 000010
【図３】
0005565522.tif 000011
【図４】
0005565522.tif 000012
【図５】
0005565522.tif 000013
【図６】
0005565522.tif 000014
【図７】
0005565522.tif 000015